(57)【要約】【課題】ベース部材のベース係止部にカバー部材の係止部を係止させるようにカバー部材をベース部材に上側から嵌め込み固定する乗客コンベアの仕様において、カバー部材の長さが長い場合や側壁部とベース部材の隙間が小さい場合であっても、ベース部材に対するカバー部材の嵌め込み固定を容易に実行できるカバー嵌込治具及びカバー嵌込方法を提供すること。【解決手段】治具５０が、把持部を有する把手５１と、把持部からの力によってカバー部材１５の上面を下側に押圧するためのローラ６０を備えるようにする。治具５０は、その使用時に、ローラ６０における外側板側の端６４が、把手５１における外側板側の端５５よりも外側板側に位置する形状を有する。【選択図】図６
2020019598.tif 000002
【特許請求の範囲】
【請求項１】
乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込治具であって、
把持部を有する把手と、
前記把持部からの力によって前記カバー部材の上面を下側に押圧するための押圧部と、を備え、
使用時において、前記押圧部における前記側壁部側の端が、前記把手における前記側壁部側の端よりも前記側壁部側に位置する、カバー嵌込治具。
【請求項２】
前記把手と一体に構成される軸部を備え、
前記押圧部は、前記軸部が収容される収容孔を有して前記軸部に回転自在に取り付けられるローラであり、
前記ローラが前記上面に接触している状態で前記把持部を前記上面の延在方向に沿うように移動させると前記ローラが回転移動する、請求項１に記載のカバー嵌込治具。
【請求項３】
前記収容孔において前記使用時に前記側壁部側に位置する端部には、前記軸部と略平行に延在する凹部が設けられ、
前記凹部には、前記軸部の先端部が収容され、
前記先端部の外周面に設けられた雄ねじ部に締め込まれたナットを更に備える、請求項２に記載のカバー嵌込治具。
【請求項４】
前記使用時において前記側壁部側に配置される前記ローラの軸方向の片側における前記収容孔の周辺領域が弾性を有する弾性部を含む、請求項２又は３に記載のカバー嵌込治具。
【請求項５】
前記ローラの中心軸を含む断面において、前記使用時に前記ローラにおいて前記側壁部側とは反対側に位置する外周面部に、微分不可能な尖った点が存在する、請求項２乃至４のいずれか１つに記載のカバー嵌込治具。
【請求項６】
前記ローラの中心軸を含む断面における前記ローラの外周面の形状が、前記上面の形状に対応する、請求項２乃至５のいずれか１つに記載のカバー嵌込治具。
【請求項７】
前記押圧部が、板状部であり、
前記使用時において前記側壁部側に位置する前記板状部の端部の肉厚が、前記使用時において前記側壁部側とは反対側に位置する前記板状部の端部の肉厚よりも厚い、請求項１に記載のカバー嵌込治具。
【請求項８】
前記把手と前記押圧部を連結する柱部を備え、
前記使用時において前記柱部が鉛直方向の上側に行くにしたがって前記側壁部側とは反対側に傾斜する、請求項７に記載のカバー嵌込治具。
【請求項９】
請求項１乃至８のいずれか１つに記載のカバー嵌込治具を用いて、乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込方法であって、
前記カバー部材の片側端部の係止部を前記ベース部材の前記ベース係止部に係止させる端部係止ステップと、
前記端部係止ステップの後、前記把持部を下に押圧しながら前記カバー部材の延在方向に沿うように移動させることで、前記押圧部が前記カバー部材の前記上面を押圧している状態で前記押圧部を前記カバー部材の前記延在方向に移動させる押圧部移動ステップと、
を含むカバー嵌込方法。
【発明の詳細な説明】
【技術分野】
【０００１】
本発明は、乗客コンベア、例えば、エスカレーター又は動く歩道におけるカバー部材をベース部材に嵌め込むのに用いられるカバー嵌込治具に関する。また、本発明は、カバー嵌込治具を用いてカバー部材をベース部材に嵌め込むカバー嵌込方法に関する。
【背景技術】
【０００２】
従来、乗客コンベアとしては、特許文献１に記載されているエスカレーターがある。このエスカレーターは、ステップの幅方向両側にステップの側方を塞ぐと共に平滑な表面を有するスカートガードを備え、スカートガードは、複数の固定ねじを用いてデッキベースを介して欄干支持部材に固定される。デッキベースの上端部には、デッキカバーが取り付けられる。デッキカバーは、欄干支持部材に対するスカートガードの固定構造を隠すことでエスカレーターの美観を良好なものにするために設けられる。
【先行技術文献】
【特許文献】
【０００３】
【特許文献１】特開２０１７−６１３５７号公報
【発明の概要】
【発明が解決しようとする課題】
【０００４】
上記特許文献１におけるデッキカバーのようにスカートガードの固定構造を隠すために用いられるカバー部材の中には、その係止部をベース部材のベース係止部に係止させるようにベース部材に上側から嵌め込み固定されるものがある。更には、そのようなカバー部材の中には、その延在方向長さが数ｍにも達するものがある。
【０００５】
ここで、そのような仕様の場合、作業員がカバー部材の延在方向の多数箇所でカバー部材をベース部材に嵌め込み固定しなければならず、ベース部材に対するカバー部材の取付作業が大変なものになる。
【０００６】
更には、そのような仕様において、ステップ側方で上側に延在する側壁部と、ベース部材との隙間が小さい場合、上記多数箇所における各箇所でカバー部材を僅かな隙間に嵌め込む必要が生じる。しかし、そのような嵌め込みでは、作業員の手が側壁部に干渉し易くて作業を行いにくい。よって、ベース部材との隙間が小さい場合、ベース部材に対するカバー部材の取付作業が特に大変なものになる。
【０００７】
そこで、本発明の目的は、ベース部材のベース係止部にカバー部材の係止部を係止させるようにカバー部材をベース部材に上側から嵌め込み固定する乗客コンベアの仕様において、カバー部材の長さが長い場合や側壁部とベース部材の隙間が小さい場合であっても、ベース部材に対するカバー部材の嵌め込み固定を容易に実行できるカバー嵌込治具及びカバー嵌込方法を提供することにある。
【課題を解決するための手段】
【０００８】
上記課題を解決するため、本発明のカバー嵌込治具は、乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込治具であって、把持部を有する把手と、前記把持部からの力によって前記カバー部材の上面を下側に押圧するための押圧部と、を備え、使用時において、前記押圧部における前記側壁部側の端が、前記把手における前記側壁部側の端よりも前記側壁部側に位置する。
【０００９】
本発明によれば、カバー部材の片側端部の係止部をベース部材のベース係止部に係止させた状態でカバー嵌込治具（以下、単に治具という）の把持部から力を付与された押圧部でカバー部材の片側端部の上面を下側に押圧できる。また、押圧部で当該上面を押圧している状態で、把持部をカバー部材の延在方向に沿うように僅かに移動させて、押圧部を、上記上面上をその延在方向に僅かに移動させることで、押圧部で、カバー部材において係止部がベース係止部に係止されている嵌合部分と、カバー部材において係止部がベース係止部に係止されていない非嵌合部分との境目に下側の大きな力を効率良く付与することができ、当該境目における嵌合を実行できる。したがって、押圧部をカバー部材の延在方向に連続的に移動させることで、該境目における嵌合を連続的に順次実行でき、押圧部がカバー部材の上面を押圧している状態で押圧部をカバー部材の一端部から他端部に一度移動させるだけで、ベース部材に対するカバー部材の嵌め込み固定を実行できる。よって、カバー部材の長さが長い場合や側壁部とベース部材の隙間が小さい場合であっても、カバー部材の片側端部の係止部をベース部材のベース係止部に係止させた上で、把持部を下に押圧しながら押圧部をカバー部材の延在方向に沿うように移動させるだけで、ベース部材に対するカバー部材の嵌め込み固定を実行できので、上述の多数箇所でのベース部材に対するカバー部材の嵌め込みを手で実行する場合との比較で、ベース部材に対するカバー部材の嵌め込み固定を容易に実行できる。
【００１０】
更には、使用時において、押圧部における側壁部側の端が、把手における側壁部側の端よりも側壁部側に位置するので、押圧部をカバー部材の延在方向に移動させる際に把手が側壁部に接触することがない。よって、把手が側壁部と干渉することがないので、カバー部材の嵌込作業を円滑に実行できると共に、把手が側壁部に接触して側壁部に傷が付くこともない。
【００１１】
また、本発明において、前記把手と一体に構成される軸部を備え、前記押圧部は、前記軸部が収容される収容孔を有して前記軸部に回転自在に取り付けられるローラであり、前記ローラが前記上面に接触している状態で前記把持部を前記上面の延在方向に沿うように移動させると前記ローラが回転移動してもよい。
【００１２】
上記構成によれば、押圧部が回動可能なローラであるので、押圧部をカバー部材の上面上をカバー部材の延在方向に容易かつ円滑に移動させることができ、ベース部材に対するカバー部材の嵌め込み固定を更に容易に実行できる。
【００１３】
また、本発明において、前記収容孔において前記使用時に前記側壁部側に位置する端部には、前記軸部と略平行に延在する凹部が設けられ、前記凹部には、前記軸部の先端部が収容され、前記先端部の外周面に設けられた雄ねじ部に締め込まれたナットを更に備えてもよい。
【００１４】
上記構成によれば、使用時において、軸部に対するローラの離脱を防止する防止構造がローラよりも側壁部側に突出することがない。よって、当該防止構造が側壁部に接触することがなく、側壁部が、治具の使用中に当該防止構造と接触して損傷することがない。
【００１５】
また、本発明において、前記使用時において前記側壁部側に配置される前記ローラの軸方向の片側における前記収容孔の周辺領域が弾性を有する弾性部を含んでもよい。
【００１６】
乗客コンベアには、カバー部材の側壁部側を弱い押圧力で嵌め込むことができる一方、カバー部材の側壁部側とは反対側の嵌め込みに大きな押圧力を必要とする仕様が存在する。
【００１７】
上記構成によれば、ローラにおける側壁部側が高さ方向上側に弾性変形可能であるので、ローラにおける側壁部側とは反対側を、側壁部側とは逆に下側に強く押圧できる。よって、そのような仕様において、カバー部材の側壁部側とは反対側の嵌め込みを実行し易くなって、ベース部材に対するカバー部材の嵌め込みを容易に実行できる。
【００１８】
また、本発明において、前記ローラの中心軸を含む断面において、前記使用時に前記ローラにおいて前記側壁部側とは反対側に位置する外周面部に、微分不可能な尖った点が存在してもよい。
【００１９】
上記構成によれば、ローラの上記尖った点をカバー部材の上面に点接触させることが可能になる。したがって、ローラをカバー部材の上面に線接触させる場合との比較で、ローラでカバー部材の側壁部側とは反対側を強く押圧し易い。よって、上記仕様において、ベース部材に対するカバー部材の嵌め込みを容易かつ効率的に実行できる。
【００２０】
また、本発明において、前記ローラの中心軸を含む断面における前記ローラの外周面の形状が、前記上面の形状に対応してもよい。
【００２１】
上記構成によれば、ローラからカバー部材に大きな力を効率的に付与し易く、カバー部材をベース部材に嵌め込み易い。
【００２２】
また、本発明において、前記押圧部が、板状部であり、前記使用時において前記側壁部側に位置する前記板状部の端部の肉厚が、前記使用時において前記側壁部側とは反対側に位置する前記板状部の端部の肉厚よりも厚くてもよい。
【００２３】
上記構成によれば、使用時においてカバー部材の側壁部側に押圧部を接触させながらカバー部材の側壁部側とは反対側を押圧部で強く押圧できる。したがって、カバー部材の側壁部側とは反対側の嵌め込みに大きな押圧力を必要とする仕様において、ベース部材に対するカバー部材の嵌め込みを容易かつ効率的に実行できる。
【００２４】
また、本発明において、前記把手と前記押圧部を連結する柱部を備え、前記使用時において前記柱部が鉛直方向の上側に行くにしたがって前記側壁部側とは反対側に傾斜してもよい。
【００２５】
上記構成によれば、使用時において押圧部の側壁部側とは反対側を押圧部の側壁部側よりも下側に位置させ易くなる。よって、カバー部材の側壁部側とは反対側に効率的に力を付与し易くなり、上記仕様においてベース部材に対するカバー部材の嵌め込みを更に容易かつ効率的に実行し易くなる。
【００２６】
また、本発明のカバー嵌込方法は、本発明のカバー嵌込治具を用いて、乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込方法であって、前記カバー部材の片側端部の係止部を前記ベース部材の前記ベース係止部に係止させる端部係止ステップと、前記端部係止ステップの後、前記把持部を下に押圧しながら前記カバー部材の延在方向に沿うように移動させることで、前記押圧部が前記カバー部材の前記上面を押圧している状態で前記押圧部を前記カバー部材の前記延在方向に移動させる押圧部移動ステップと、を含む。
【００２７】
本発明によれば、カバー部材の片側端部の係止部をベース部材のベース係止部に係止させた上で、押圧部でカバー部材を下側に押圧しながら押圧部をカバー部材の延在方向に沿うように移動させるだけで、ベース部材に対するカバー部材の嵌め込み固定を実行できる。よって、ベース部材に対するカバー部材の嵌め込み固定を容易に実行できる。
【発明の効果】
【００２８】
本発明に係るカバー嵌込治具によれば、ベース部材のベース係止部にカバー部材の係止部を係止させるようにカバー部材をベース部材に上側から嵌め込み固定する乗客コンベアの仕様において、カバー部材の長さが長い場合や側壁部とカバー部材の隙間が小さい場合でも、ベース部材に対するカバー部材の嵌め込み固定を容易に実行できる。
【図面の簡単な説明】
【００２９】
【図１】本発明のカバー嵌込治具を使用できるエスカレーターの一部を示す斜視図である。
【図２】上記エスカレーターをステップの幅方向と高さ方向を含む平面で切断したときの断面におけるカバー部材周辺の拡大断面図である。
【図３】インナーデッキ、ベース部材、及びカバー部材で構成されるデッキアッセンブリの分解斜視図であり、ベース部材が嵌め込まれたインナーデッキの上側構造と、カバー部材を、分離した状態で示す分解斜視図である。
【図４】図３のＡ−Ａ線断面図である。
【図５】図３のＢ−Ｂ線断面図である。
【図６】本発明の一実施形態に係るカバー嵌込治具を示す斜視図であり、その一部であるローラ部分周辺を断面で示す斜視図である。
【図７】上記カバー嵌込治具の連結部の軸部側の構造を説明する連結部の分解図である。
【図８】上記カバー嵌込治具のローラをその中心軸を含む平面で切断したときの断面図である。
【図９】図８のＤ−Ｄ線断面図である。
【図１０】図８のＥ−Ｅ線断面図である。
【図１１】変形例の治具の正面図である。
【図１２】他の変形例の治具の正面図である。
【図１３】別の変形例の治具の一部の正面図である。
【図１４】更なる変形例の治具を高さ方向上方から見たときの平面図である。
【発明を実施するための形態】
【００３０】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下では、乗客コンベアが、エスカレーターである場合について説明するが、乗客コンベアは、複数の踏段が段差なく連なる動く歩道でもよい。また、以下において、上部、上側、下部、下側、水平方向等の鉛直方向に関係する文言が用いられた場合、その文言は、エスカレーター１が稼動位置に正しく設置されて稼働可能になっている状態で表現されている。
【００３１】
図１は、本発明のカバー嵌込治具（以下、単に治具という）５０を使用できるエスカレーター１の一部を示す斜視図であり、図２は、エスカレーター１をステップの幅方向と高さ方向を含む平面で切断したときの断面におけるカバー部材周辺の拡大断面図である。以下では、先ず、図１、図２、及び後述の図３乃至図５を用いて、本発明の治具５０が適用可能なエスカレーター１の一例について説明する。
【００３２】
図１に示すように、エスカレーター１は、傾斜路に沿うように移動するステップ１０と、傾斜路の両側に立設された外側板１１と、外側板１１の下側に配置されて外側板が固定される外側板固定部（不図示）を備える。外側板１１は、例えば、ガラスやパネルで構成される。また、図１及び図２に示すように、エスカレーター１は、外側板１１よりも傾斜路側に設けられたスカートガード１２と、スカートガード１２の上側と外側板１１との隙間を覆うように配置されるインナーデッキ１３を備える。また、図２に示すように、エスカレーター１は、インナーデッキ１３の上側端部が固定されて外側板１１とインナーデッキ１３の隙間を覆うように配置されるベース部材１４と、ベース部材１４の上面を覆い隠すようにベース部材１４の上側に固定されるカバー部材１５を備える。インナーデッキ１３は、連結部材の一例であり、外側板１１は、上側に延在する側壁部の一例である。
【００３３】
図２に示すように、ベース部材１４は、幅方向のステップ側が開口する凹部３４を有する。インナーデッキ１３の上側先端部は、幅方向に延在して凹部３４に挿入され、鉛直方向に延在するビス１６でベース部材１４に固定される。このエスカレーター１は、インナーデッキ１３の上面をビス止めすることで、インナーデッキ側面をビス止めしないようにし、インナーデッキ１３のビス緩みによる利用者災害（衣服の引っ掛かり等）を防止するようにしている。また、カバー部材１５を、ベース部材１４の上面を覆い隠すようにベース部材１４に取り付けることで、ビス１６を外部から視認不可能にして、エスカレーター１を美観が良好になるようにしている。
【００３４】
詳述しないが、インナーデッキ１３は、鉛直方向に延在する側壁部１３ａと、外側板１１側に斜め上方に延在する傾斜延在部１３ｂを含む。側壁部１３ａの外側板１１側の内面には、接着剤等で係止部材１８が固定され、側壁部１３ａと係止部材１８との間には、係止凹部１９が設けられる。スカートガード１２の上端部を係止凹部１９に係止することで、スカートガード１２がインナーデッキ１３に固定される。また、図示しないが、上記外側板固定部は、例えば、エスカレーター１で地面に対して静止するアングル等の静止部に固定され、スカートガード１２も、直接又は部材を介して上記外側板固定部等の静止部に間接的に固定される。その結果、スカートガード１２、インナーデッキ１３、ベース部材１４、及びカバー部材１５が、エスカレーター１に対して離脱不可能な状態で地面に対して静止する。
【００３５】
図３は、インナーデッキ１３、ベース部材１４、及びカバー部材１５で構成されるデッキアッセンブリの分解斜視図であり、ベース部材１４が嵌め込まれたインナーデッキ１３の上側構造と、カバー部材１５を分離した状態で示す分解斜視図である。また、図４は、図３のＡ−Ａ線断面図であり、図５は、図３のＢ−Ｂ線断面図である。
【００３６】
図４に示すように、ベース部材１４は、その上面１４ａから上方に突出する第１及び第２突起１４ｂ,１４ｃを含み、第１突起１４ｂは、矢印Ｃで示す幅方向の外側板１１側から上側に突出し、第２突起１４ｃは、幅方向の外側板１１側とは反対側から上側に突出する。再度、図２を参照して、ベース部材１４は、インナーデッキ１３において外側板１１に近づくにつれて上側に移動する傾斜延在部１３ｂの上面に滑らかに繋がり、カバー部材１５は、ベース部材１４に上側から固定される。したがって、カバー部材１５の上面１５ｄを傾斜延在部１３ｂに滑らかに接続させるために、図４に示すように、カバー部材１５の上面１５ｄも外側板１１側に行くにしたがって上側に滑らかに移動し、その結果、第１突起１４ｂの高さが、第２突起１４ｃよりも高くなる。第１突起１４ｂは、その上端部における幅方向の外側板側に突起からなる係止部２４ｂを有し、第２突起１４ｃは、その上端部における幅方向の外側板１１側とは反対側に突起からなる係止部２４ｃを有する。
【００３７】
カバー部材１５は、その下面１５ａから下側に突出する第１及び第２突起１５ｂ,１５ｃを有し、第１突起１５ｂは、第２突起１５ｃよりも高い。第１突起１５ｂは、下端部における幅方向の外側板１１側とは反対側に突起からなる係止部２５ｂを有し、第２突起１５ｃは、下端部における幅方向の外側板１１側に突起からなる係止部２５ｃを有する。第１突起１５ｂの係止部２５ｂが第１突起１４ｂの係止部２４ｂの下側に係合すると共に、第２突起１５ｃの係止部２５ｃが第２突起１４ｃの係止部２４ｃの下側に係合するように、カバー部材１５をベース部材１４の上側からベース部材１４に嵌め込むことで、カバー部材１５をベース部材１４に固定する。第１突起１４ｂ,１５ｂが第２突起１４ｃ,１５ｃよりも高いため、第１突起１４ｂ,１５ｂ同士の係合を容易に実行できる一方、第２突起１４ｃ,１５ｃ同士の係合には、上側からの大きな力を必要とする。カバー部材１５の第１及び第２突起１５ｂ,１５ｃは、係止部の一例であり、ベース部材１４の第１及び第２突起１４ｂ,１４ｃは、ベース係止部の一例である。
【００３８】
図５に示すように、ベース部材１４の上面１４ａにおける延在方向の所定位置には、ズレ止め部材２１が接着剤３８等で固着され、カバー部材１５の下面１５ａにおける延在方向の所定位置には、ズレ止め部材２２が接着剤３９等で固着される。各ズレ止め部材２１,２２は、面ファスナー等で構成される。カバー部材１５がベース部材１４に固定されている状態でズレ止め部材２１,２２同士が貼り付くことでカバー部材１５が延在方向にずれることを防止する。このようなズレ止め部材２１,２２の設置も、カバー部材１５をベース部材１４に嵌め込みにくくする一因となり、ズレ止め部材２１,２２の存在で、カバー部材１５をベース部材１４に大きな力で嵌め込む必要が生じる。なお、詳述しないが、ベース部材１４の上面１４ａには、ジョイント部材２４（図３参照）が固着される。ジョイント部材２４は、隣接するカバー部材１５の継目を隠すために設けられ、ベース部材１４の上面１４ａにおける該継目に対応する位置に設置される。
【００３９】
図６は、本発明の一実施形態に係る治具５０を示す斜視図であり、その一部であるローラ６０周辺を断面で示す斜視図である。図６に示すように、治具５０は、把手５１、押圧部の一例としてのローラ６０、及び連結部８０を備える。把手５１は、略円柱形状の丸棒で構成され、その円筒外周面５２が、把持部を構成する。また、連結部８０は、第１高さ方向延在部８１、幅方向延在部８２、第２高さ方向延在部８３、及び軸部８４を有する。
【００４０】
第１高さ方向延在部８１は、一方側端部が把手５１に固定され、把手５１から把手５１の中心軸に直交する方向に延在し、幅方向延在部８２は、第１高さ方向延在部８１の把手５１側とは反対側の端部から第１高さ方向延在部８１に略直交する方向に延在する。また、第２高さ方向延在部８３は、幅方向延在部８２の第１高さ方向延在部側とは反対側の端部から第１高さ方向延在部８１側とは反対側に第１高さ方向延在部８１と略平行に延在する。また、軸部８４は、第２高さ方向延在部８３の幅方向延在部８２側とは反対側の端部から幅方向延在部８２側に幅方向延在部８２と略平行に延在する。
【００４１】
図７は、連結部８０の軸部８４側の構造を説明する分解図である。図７に示すように、軸部８４は、例えば、一方側端部に頭部８５を有し、他方側端部に雄ねじ部８６を有する。また、第２高さ方向延在部８３は、貫通孔８７を有する。例えば、軸部８４を、幅方向延在部８２側とは反対側から雄ねじ部８６側を先頭として貫通孔８７に挿通し、頭部８５の底面を第２高さ方向延在部８３に接着剤等で固定することで、軸部８４を第２高さ方向延在部８３に取り付ける。
【００４２】
図６に示すように、ローラ６０は、軸部８４に回転自在に取り付けられる。次に、ローラ６０の詳細な構造、及び軸部８４に対するローラ６０の取付構造について説明する。図８は、ローラ６０をその中心軸を含む平面で切断したときの断面図であり、図９は、図８のＤ−Ｄ線断面図であり、図１０は、図８のＥ−Ｅ線断面図である。図８に示すように、ローラ６０は、本体６１と、金属又は樹脂製のスリーブ６２を含む。
【００４３】
本体６１は、貫通孔６３を有し、貫通孔６３は、円筒内周面を有する大径孔部６３ａと、円筒内周面を有する小径孔部６３ｂを含む。大径孔部６３ａの内径は、小径孔部６３ｂの内径よりも大きく、大径孔部６３ａは、径方向に延在する段部６９を介して小径孔部６３ｂに繋がる。大径孔部６３ａと、段部６９は、軸部８４と略平行に延在する凹部６８を構成する。
【００４４】
スリーブ６２は、円筒外周面６２ａと、円筒内周面を有する。円筒外周面６２ａは、小径孔部６３ｂと略同一の長さを有し、小径孔部６３ｂから略突出しないように小径孔部６３ｂに内嵌されて固定される。円筒外周面６２ａは、接着剤６７で小径孔部６３ｂの円筒内周面に固定されてもよい。
【００４５】
本体６１は、金属又は樹脂で構成される外径側部７１と、ゴム等の弾性体で構成される内径側部７２を有する。内径側部７２は、本体６１の内周側に配置され、小径孔部６３ｂの内周面の少なくとも一部を含む。ローラ６０の軸方向から見たとき、内径側部７２の全ては、凹部６８に重なり、内径側部７２における軸方向の凹部６８側の端面は、凹部６８の底面の一部を構成する。図８〜図１０に示すように、内径側部７２の径方向の厚さは、凹部６８側から凹部６８側とは反対側に軸方向に行くにしたがって徐々に薄くなっている。内径側部７２のうちで使用時において外側板１１側に配置されるローラ６０の軸方向の片側の貫通孔６３の周辺に位置する部分は、弾性を有する弾性部の一例である。
【００４６】
図７及び図８を参照して、雄ねじ部８６が凹部６８に突出するまで、連結部８０の軸部８４を、雄ねじ部８６側を先頭にしてローラ６０のスリーブ６２の凹部６８側とは反対側の開口から挿入する。そして、その後、図７を参照して、ナット８９を、雄ねじ部８６に締め込むことで、ローラ６０が、軸部８４に対して回動自在に軸部８４に支持され、軸部８４に対して離脱不可能になる。このナット８９の締め込みで、治具５０が組み立てられる。本体６１の貫通孔６３は、軸部８４が収容される収容孔を構成する。また、ナット８９は、雄ねじ部８６に締め込まれた状態で凹部６８内に収容される。
【００４７】
ローラ６０は、軸受によって軸部８４に回転自在に支持される。詳しくは、例えば、スリーブ６２と軸部８４との間には、潤滑剤が封入され、スリーブ６２と軸部８４の軸方向の両端部は、公知の環状のシール部材（不図示）で密封される。このようにして、スリーブ６２の内周面に油膜を形成して、スリーブ６２、油膜、及び軸部８４ですべり軸受を構成して、ローラ６０をそのすべり軸受で軸部８４に対して回転自在に支持する。又は、スリーブ６２と軸部８４で、オイレスベアリング、すなわち、給油量、給油回数を少なくできるか、又は無給油で使用できる自己潤滑性を保持したすべり軸受を構成してもよく、転がり軸受でスリーブ６２を軸部８４に対して回転自在に支持してもよい。
【００４８】
なお、連結部８０が、第１高さ方向延在部８１、幅方向延在部８２、第２高さ方向延在部８３、及び軸部８４を有する場合について説明した。しかし、連結部は、図６に示す構造でなくてもよく、例えば、第１高さ方向延在部は、第２高さ方向延在部と平行でなくてもよく、幅方向延在部も、軸部と平行でなくてもよい。連結部は、ローラを回転自在に支持する軸部と、軸部と把手を接続する接続部を有していれば如何なる構造でもよい。
【００４９】
また、軸部８４の両端部以外の箇所の長さを、スリーブ６２の軸方向長さよりも僅かに長く設定すると、軸部８４に対してローラ６０を位置決めできると共にローラ６０の回転が円滑となって好ましい。また、ナット８９を締め込んだ後、ナット８９を軸部８４に対して接着剤、半田、又は溶接等で固定して、軸部８４に対するナット８９の緩みを防止してもよい。
【００５０】
治具５０は、カバー部材１５をベース部材１４に嵌め込む際に用いられる。次に、治具５０の使用法について説明する。カバー部材１５は、次のようにベース部材１４に嵌め込まれる。先ず、カバー部材１５の片側端部の係止部をベース部材１４のベース係止部に係止させる。この係止は、例えば、人がカバー部材１５の片側端部をベース部材１４のベース係止部の上方に配置した上で、カバー部材１５の片側端部をベース係止部に上側から押圧することで実行する。
【００５１】
次に、人が把手５１の把持部を下に押圧しながら把持部をカバー部材１５の延在方向に沿うように移動させることで、ローラ６０がカバー部材１５の上面を押圧している状態でローラ６０をカバー部材１５の一端部から他端部にカバー部材１５の延在方向に移動させる。図６に示すように、ローラ６０における幅方向の一方側（凹部６８側）の端６４は、把手５１における幅方向の一方側の端５５よりも幅方向の外側に位置し、治具５０は、使用時に、ローラ６０における外側板（側壁部）１１側の端６４が、把手５１における側壁部側の端５５よりも外側板１１側に位置する。
【００５２】
ローラ６０でカバー部材１５の上面を押圧している状態で、把手５１をカバー部材１５の延在方向に沿うように僅かに移動させることで、ローラ６０で、カバー部材１５において係止部がベース係止部に係止されている嵌合部分と、カバー部材１５において係止部がベース係止部に係止されていない非嵌合部分との境目に下側の大きな力を効率良く付与でき、当該境目における嵌合を実行できる。よって、ローラ６０をカバー部材１５の延在方向に連続的に移動させることで、該境目における嵌合を連続的に順次実行でき、ローラ６０をカバー部材１５の一端部から他端部に一度のみ移動させるだけで、ベース部材１４に対するカバー部材１５の嵌め込み固定を容易に実行できる。
【００５３】
なお、ローラ６０の中心軸を含む断面におけるローラ６０の外周面の形状を、カバー部材１５の上面の形状に対応する形状とすると、ローラ６０からカバー部材１５に大きな力を効率的に付与し易くて、ベース部材１４に対するカバー部材１５の嵌め込みを実行し易くて好ましい。
【００５４】
更には、図８に示すように、ローラ６０の中心軸を含む断面において、使用時にローラ６０において外側板１１側とは反対側に位置する外周面部に、微分不可能な尖った点７７が存在すると好ましい。上述のように、エスカレーター１は、カバー部材１５の外側板１１側を弱い押圧力で嵌め込むことができる一方、カバー部材１５の外側板１１側とは反対側の嵌め込みに大きな押圧力を必要とする。
【００５５】
しかしながら、そのような尖った点７７が存在すると、ローラ６０の尖った点７７をカバー部材１５の上面に線接触させることが可能になる。したがって、ローラをカバー部材の上面に線接触させる場合との比較で、ローラ６０でカバー部材１５の外側板１１側とは反対側を強く押圧し易く、カバー部材１５の外側板１１側とは反対側に、局所的で大きな力を付与し易い。よって、ベース部材１４に対するカバー部材１５の嵌め込みを容易かつ効率的に実行できる。また、これに関連して、治具５０の使用時に、人が、ローラ６０の凹部６８側とは反対側の端部が下側になるようにローラ６０を僅かに傾けた状態でローラ６０をカバー部材１５の外側板１１側とは反対側に接触させると、カバー部材１５の嵌め込みを容易に実行できて好ましい。
【００５６】
以上、治具５０は、エスカレーター１においてスカートガード１２にインナーデッキ１３を介して間接的に連結されて、スカートガード１２と上側に延在する外側板１１との隙間を塞ぐように配置されるベース部材１４のベース係止部にカバー部材１５の係止部を係止させるように、カバー部材１５をベース部材１４に上側から嵌め込むのに用いられる。また、治具５０は、把持部を有する把手５１と、把持部からの力によってカバー部材１５の上面を下側に押圧するためのローラ（押圧部）６０を備える。また、治具５０は、その使用時に、ローラ６０における外側板１１側の端６４が、把手５１における外側板１１側の端５５よりも外側板１１側に位置する形状を有する。
【００５７】
したがって、カバー部材１５の長さが数メートルにもなる場合や、外側板１１とベース部材１４の隙間が小さい場合であっても、カバー部材１５の片側端部の係止部をベース部材１４のベース係止部に係止させた上で、ローラ６０がカバー部材１５の上面を押圧している状態でローラ６０をカバー部材１５の一端部から他端部に移動させることができ、その移動でベース部材１４に対するカバー部材１５の嵌め込み固定を実行できる。よって、上述の従来の嵌め込み方法、すなわち、多数箇所でのベース部材に対するカバー部材の嵌め込みを手で実行する場合との比較で、ベース部材１４に対するカバー部材１５の嵌め込み固定を容易に実行できる。
【００５８】
更には、治具５０の使用時に、ローラ６０における外側板１１側の端６４が、把手５１における外側板１１側の端５５よりも外側板１１側に位置する。よって、ローラ６０をカバー部材１５の延在方向に移動させる際に把手５１が外側板１１に接触することがない。よって、把手５１が外側板１１と干渉することがないので、カバー部材１５の嵌込作業を円滑に実行できると共に、把手５１が外側板１１に接触して外側板１１に傷が付くこともない。
【００５９】
また、治具５０は、把手５１と一体に構成される軸部８４を備えてもよい。また、押圧部は、軸部８４が収容される貫通孔６３を有して軸部８４に回転自在に取り付けられるローラ６０でもよい。また、ローラ６０がカバー部材１５の上面に接触している状態で把持部を該上面の延在方向に沿うように移動させるとローラ６０が回転移動してもよい。
【００６０】
上記構成によれば、押圧部が回動可能なローラ６０であるので、押圧部をカバー部材１５の上面１５ｄ上をカバー部材１５の延在方向に容易かつ円滑に移動させることができ、ベース部材１４に対するカバー部材１５の嵌め込み固定を更に容易に実行できる。
【００６１】
また、貫通孔６３において使用時に外側板１１側に位置する端部には、軸部８４と略平行に延在する凹部６８が設けられてもよく、凹部６８には、軸部８４の先端部が収容されてもよい。また、治具５０は、その先端部の外周面に設けられた雄ねじ部８６に締め込まれたナット８９を更に備えてもよい。
【００６２】
上記構成によれば、軸部８４に対するローラ６０の離脱を防止する防止構造が、使用時において、ローラ６０の外側板１１側の端よりも外側板１１側に突出することがない。よって、当該防止構造が外側板１１に接触することがなく、外側板１１が、治具５０の使用中に当該防止構造と接触して損傷することがない。
【００６３】
また、治具５０が、使用時において外側板１１側に配置されるローラ６０の軸方向の片側における貫通孔６３の周辺領域が弾性を有する弾性部を含んでもよい。
【００６４】
上述のように、エスカレーター１は、カバー部材１５の外側板１１側を弱い押圧力で嵌め込むことができる一方、カバー部材１５の外側板１１側とは反対側の嵌め込みに大きな押圧力を必要とする。本構成によれば、ローラ６０における外側板１１側が上側に弾性変形可能であるので、ローラ６０における外側板１１側とは反対側を、外側板１１側とは逆に下側に強く押圧できる。よって、カバー部材１５の外側板１１側とは反対側の嵌め込みを実行し易くなって、ベース部材１４に対するカバー部材１５の嵌め込みを更に容易に実行できる。
【００６５】
なお、本発明は、上記実施形態およびその変形例に限定されるものではなく、本願の特許請求の範囲に記載された事項およびその均等な範囲において種々の改良や変更が可能である。
【００６６】
例えば、上記実施形態では、スカートガード１２が、インナーデッキ１３を介してベース部材１４に接続される場合について説明したが、スカートガードは、ベース部材に直接接続されてもよい。
【００６７】
また、ローラ６０が、貫通孔６３の片側の端部に軸部８４と略平行に延在する凹部６８を有し、軸部８４の先端部が凹部６８に収容され、ナット８９をその先端部に設けられた雄ねじ部８６に締め込む場合について説明した。そして、軸部８４に対するローラ６０の離脱を防止する防止構造が、ローラ６０から軸方向の外側に突出しない場合について説明した。しかし、ローラは、そのような凹部を有さなくてもよく、軸部に対するローラの離脱を防止する防止構造が、ローラから軸方向の外側に突出する部分を含んでもよい。
【００６８】
また、ローラ６０が、使用時において外側板１１側に配置される軸方向の片側の貫通孔６３の周辺に弾性を有する弾性部を有する場合について説明した。しかし、ローラは、弾性を有する弾性部を有さなくてもよく、例えば、ローラの全部が、弾性体でない金属や樹脂で構成されてもよい。
【００６９】
また、ローラ６０の中心軸を含む断面におけるローラ６０の外周面の形状が、カバー部材１５の上面の形状に対応する形状になっている場合について説明した。しかし、ローラの外周面の形状は、カバー部材の上面の形状に対応しなくてもよい。
【００７０】
また、ローラ６０の中心軸を含む断面において、使用時において外側板１１側とは反対側に位置するローラ６０の外周面部に、微分不可能な尖った点７７が存在する場合について説明した。しかし、ローラの中心軸を含む断面において、使用時において側壁部側とは反対側に位置するローラの外周面部に、微分不可能な尖った点が存在しなくてもよい。
【００７１】
また、図６に示すように、把手５１の中心軸が、ローラ６０の中心軸と略平行か、又はローラ６０の中心軸と１０°以下程度の僅かな角度を介して傾斜する場合について説明した。しかし、図１１、すなわち、変形例の治具１５０の正面図に示すように、棒状の把手１５１の中心軸が、ローラ６０の中心軸と略直交するか、又はでローラ６０の中心軸と７０°以上９０°未満の大きな角度で傾斜してもよい。
【００７２】
また、図１２、すなわち、他の変形例の治具２５０の正面図に示すように、治具２５０は、把手２５１、押圧部の一例としての板状部２６０、及び連結部２６５を備えてもよい。また、連結部２６５は、把手２５１と板状部２６０を連結してもよく、使用時において、板状部２６０における外側板１１側の端２８８が、把手２５１における外側板１１側の端２８９よりも外側板１１側に位置してもよい。そして、使用時において側壁部（外側板等で構成）側に位置する板状部２６０の端部２７１の肉厚が、使用時において側壁部側とは反対側に位置する板状部２６０の端部２７２の肉厚よりも厚くてもよい。また、そのような板状部２６０は、平板の底面の側壁部側に、平面視における面積がその平板の半分程度の板部材２７８を溶接や接着剤等で接合することで形成してもよい。
【００７３】
本構成によれば、使用時においてカバー部材１５の側壁部側に板状部２６０を接触させながらカバー部材１５の側壁部側とは反対側を板状部２６０で強く押圧できる。したがって、カバー部材１５の側壁部側とは反対側の嵌め込みに大きな押圧力を必要とするエスカレーター１でも、ベース部材１４に対するカバー部材１５の嵌め込みを容易かつ効率的に実行できる。
【００７４】
また、図１３、すなわち、別の変形例の治具３５０の一部の正面図に示すように、治具３５０は、把手（不図示）と押圧部としての板状部３６０を連結する柱部３６５を備えてもよい。また、使用時において柱部３６５が鉛直方向の上側に行くにしたがって側壁部（例えば、外側板１１）側とは反対側に傾斜してもよい。
【００７５】
本構成によれば、使用時において、板状部３６０の側壁部側とは反対側を板状部３６０の側壁部側よりも下側に位置させ易くなる。したがって、力をカバー部材１５の側壁部側とは反対側に効率的に付与し易くなる。よって、カバー部材１５の外側板１１側とは反対側の嵌め込みに大きな押圧力を必要とするエスカレーター１において、ベース部材１４に対するカバー部材１５の嵌め込みを更に容易かつ効率的に実行し易い。なお、図１２及び図１３に示す治具２５０,３５０では、押圧部が板状部２６０,３６０であり、板状部２６０,３６０の厚さが、変動する場合について説明した。しかし、押圧部は、厚さが一定の平板で構成されてもよい。
【００７６】
また、図１４、すなわち、更なる変形例の治具４５０を高さ方向上方から見たときの平面図に示すように、治具４５０は、把手４５１、押圧部としてのローラ４６０、及び第１及び第２ガイドローラ４８０,４９０を備えてもよい。また、ローラ４６０が、第１軸部４１０に回転自在に支持され、第１ガイドローラ４８０が、第２軸部４２０に回転自在に支持され、第２ガイドローラ４９０が、第３軸部４３０に回転自在に支持されてもよい。また、第１軸部４１０、第２軸部４２０、及び第３軸部４３０は、互いに略平行であって、把手４５１に対して静止してもよい。なお、図１４において、参照番号４５５は、治具４５０において高さ方向に延在する柱部であり、第１軸部４１０、第２軸部４２０、及び第３軸部４３０は、例えば、その柱部と一体に形成されてもよい。
【００７７】
使用時において、第１ガイドローラ４８０は、ローラ４６０よりも進行方向の一方側でカバー部材１５の上面上を回動し、第２ガイドローラ４９０は、ローラ４６０よりも進行方向の他方側でカバー部材１５の上面上を進行方向側に回動する。本構成によれば、第１及び第２ガイドローラ４８０でローラ４６０の姿勢を安定させることができ、ローラ４６０を円滑に移動させることができる。
【符号の説明】
【００７８】
１  エスカレーター、  １１  外側板、  １２  スカートガード、  １３  インナーデッキ、  １４  ベース部材、  １４ｂ  ベース部材の第１突起、１４ｃ  ベース部材の第２突起、  １５  カバー部材、  １５ｂ  カバー部材の第１突起、１５ｃ  カバー部材の第２突起、  １５ｄ  上面、  ５０,１５０,２５０,３５０,４５０  治具、  ５１,１５１,４５１  把手、  ５５,２８９  使用時における把手の外側板側の端、  ６０,４６０  ローラ、  ６３  貫通孔（収容孔）、  ６４  使用時におけるローラの外側板側の端、  ６８  凹部、  ７７  尖った点、  ８４  軸部、  ８６  雄ねじ部、  ８９  ナット、  ２６０,３６０  板状部、  ２７１  使用時において側壁部側に位置する板状部の端部、  ２７２  使用時において側壁部側とは反対側に位置する板状部の端部、  ２８８  使用時における板状部の側壁部側の端、  ３６５  柱部。
【図１】
2020019598.tif 000003
【図２】
2020019598.tif 000004
【図３】
2020019598.tif 000005
【図４】
2020019598.tif 000006
【図５】
2020019598.tif 000007
【図６】
2020019598.tif 000008
【図７】
2020019598.tif 000009
【図８】
2020019598.tif 000010
【図９】
2020019598.tif 000011
【図１０】
2020019598.tif 000012
【図１１】
2020019598.tif 000013
【図１２】
2020019598.tif 000014
【図１３】
2020019598.tif 000015
【図１４】
2020019598.tif 000016
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込治具であって、
把持部を有する把手と、
前記把持部からの力によって前記カバー部材の上面を下側に押圧するための押圧部と、を備え、
使用時において、前記押圧部における前記側壁部側の端が、前記把手における前記側壁部側の端よりも前記側壁部側に位置し、
前記把手と一体に構成される軸部を備え、
前記押圧部は、前記軸部が収容される収容孔を有して前記軸部に回転自在に取り付けられるローラであり、
前記ローラが前記上面に接触している状態で前記把持部を前記上面の延在方向に沿うように移動させると前記ローラが回転移動し、
前記収容孔において前記使用時に前記側壁部側に位置する端部には、前記軸部と略平行に延在する凹部が設けられ、
前記凹部には、前記軸部の先端部が収容され、
前記先端部の外周面に設けられた雄ねじ部に締め込まれたナットを更に備える、カバー嵌込治具。
【請求項２】
乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込治具であって、
把持部を有する把手と、
前記把持部からの力によって前記カバー部材の上面を下側に押圧するための押圧部と、を備え、
使用時において、前記押圧部における前記側壁部側の端が、前記把手における前記側壁部側の端よりも前記側壁部側に位置し、
前記把手と一体に構成される軸部を備え、
前記押圧部は、前記軸部が収容される収容孔を有して前記軸部に回転自在に取り付けられるローラであり、
前記ローラが前記上面に接触している状態で前記把持部を前記上面の延在方向に沿うように移動させると前記ローラが回転移動し、
前記ローラを回転自在に支持する前記軸部、及び前記軸部と前記把手と接続する接続部を有する連結部を更に備え、
前記使用時において、前記ローラの前記側壁部側の端が前記軸部の前記側壁部側の端よりも前記側壁部側に位置し、
前記使用時において、前記軸部の前記側壁部側の端が、前記接続部の前記側壁部側の端と前記把手の前記側壁部側の端の両方よりも前記側壁部側に位置する、カバー嵌込治具。
【請求項３】
乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込治具であって、
把持部を有する把手と、
前記把持部からの力によって前記カバー部材の上面を下側に押圧するための押圧部と、を備え、
使用時において、前記押圧部における前記側壁部側の端が、前記把手における前記側壁部側の端よりも前記側壁部側に位置し、
ローラの中心軸を含む断面において、前記使用時に前記ローラにおいて前記側壁部側とは反対側に位置する外周面部に、微分不可能な尖った点が２つのみ存在し、
前記使用時において、前記ローラにおける前記側壁部側とは反対側の端部が下側になるように前記ローラを僅かに傾けた状態で前記ローラを前記カバー部材の前記側壁部側とは反対側に接触させることが可能になっている、カバー嵌込治具。
【請求項４】
前記使用時において前記側壁部側に配置される前記ローラの軸方向の片側における前記収容孔の周辺領域が弾性を有する弾性部を含む、請求項１乃至３のいずれか１つに記載のカバー嵌込治具。
【請求項５】
前記ローラの中心軸を含む断面における前記ローラの外周面の形状が、前記上面の形状に対応する、請求項１乃至４のいずれか１つに記載のカバー嵌込治具。
【請求項６】
請求項１乃至５のいずれか１つに記載のカバー嵌込治具を用いて、乗客コンベアにおいてスカートガードに直接又は連結部材を介して間接的に連結されて前記スカートガードと上側に延在する側壁部との隙間を塞ぐように配置されるベース部材のベース係止部にカバー部材の係止部を係止させるように前記カバー部材を前記ベース部材に上側から嵌め込むためのカバー嵌込方法であって、
前記カバー部材の片側端部の係止部を前記ベース部材の前記ベース係止部に係止させる端部係止ステップと、
前記端部係止ステップの後、前記把持部を下に押圧しながら前記カバー部材の延在方向に沿うように移動させることで、前記押圧部が前記カバー部材の前記上面を押圧している状態で前記押圧部を前記カバー部材の前記延在方向に移動させる押圧部移動ステップと、
を含むカバー嵌込方法。
【手続補正２】
【補正対象書類名】明細書
【補正対象項目名】００２５
【補正方法】変更
【補正の内容】
【００２５】
上記構成によれば、使用時において押圧部の側壁部側とは反対側を押圧部の側壁部側よりも下側に位置させ易くなる。よって、カバー部材の側壁部側とは反対側に効率的に力を付与し易くなり、上記仕様においてベース部材に対するカバー部材の嵌め込みを更に容易かつ効率的に実行し易くなる。また、本発明のカバー嵌込治具は、前記ローラを回転自在に支持する前記軸部、及び前記軸部と前記把手と接続する接続部を有する連結部を更に備え、前記使用時において、前記ローラの前記側壁部側の端が前記軸部の前記側壁部側の端よりも前記側壁部側に位置し、前記使用時において、前記軸部の前記側壁部側の端が、前記接続部の前記側壁部側の端と前記把手の前記側壁部側の端の両方よりも前記側壁部側に位置してもよい。また、本発明のカバー嵌込治具は、前記ローラの中心軸を含む断面において、前記使用時に前記ローラにおいて前記側壁部側とは反対側に位置する外周面部に、微分不可能な尖った点が２つのみ存在し、前記使用時において、前記ローラにおける前記側壁部側とは反対側の端部が下側になるように前記ローラを僅かに傾けた状態で前記ローラを前記カバー部材の前記側壁部側とは反対側に接触させることが可能になっていてもよい。